(57)【要約】【課題】ナイトカバーの側部を保持するガイドレールを適切に取り付けることができるオープンショーケースを提供する。【解決手段】本体５の開口部２１を被うナイトカバー４６を備えたオープンショーケース１において、開口部２１の側部に設けられ、引き出されたナイトカバー４６の側部を保持するガイドレール３２と、本体５と隣接する他のショーケース１とを連結する連結部材３５とを備え、ガイドレール３２を連結部材３５に着脱可能に取り付ける。【選択図】　　　図５
2004084961.tif 000002
【特許請求の範囲】
【請求項１】
本体の開口部を被うナイトカバーを備えたオープンショーケースにおいて、
前記開口部の側部に設けられ、引き出された前記ナイトカバーの側部を保持するガイドレールと、前記本体と隣接する他のショーケースとを連結する連結部材とを備え、
前記ガイドレールを前記連結部材に着脱可能に取り付けることを特徴とするオープンショーケース。
【請求項２】
前記本体の前面下部には、バンパーを備え、前記ガイドレールを前記バンパー下面に格納可能とすることを特徴とする請求項１のオープンショーケース。
【請求項３】
前記バンパーには前記ガイドレールを吸着する磁石部材を備えることを特徴とする請求項２のオープンショーケース。
【発明の詳細な説明】
【０００１】
【発明の属する技術分野】
本発明は、店舗の閉店時に開口部を被うためのナイトカバーを備えたオープンショーケースに関するものである。
【０００２】
【従来の技術】
従来よりスーパーマーケットやコンビニエンスストアなどの店舗に設置されるオープンショーケースには、ナイトカバーと称される引き出し自在のカバー（以下、ナイトカバーと称す。）が取り付けられており、商品の納出が行われない閉店時には、このナイトカバーを引き出して開口部を被うことにより、開口部からの無駄な冷気の流出を防止し、消費電力の削減を図ることができるように構成されている。
【０００３】
他方、当該オープンショーケースは、大型のスーパーマーケットなどにおいて、複数台を隣接して設置され、場合によっては、隣り合うショーケースの側板は取り払われたかたちで設置されることもある。
【０００４】
ここで、図９及び図１０を参照して従来の隣接するオープンショーケースとの連結部分及びガイドレールについて説明する。図においてオープンショーケース１００は、断面略コ字状の断熱箱体により本体１０１が構成されており、この本体１０１の下部前端は上方に上昇した前壁１０２が形成されている。この前壁１０２の前面には、前面パネル１０３が取り付けられていると共に、この前壁１０２及び前面パネル１０３の上面には、左右に渡ってハンドレール１０４が設けられている。また、前面パネル１０３の下部若しくは下方には、同じく左右に渡ってバンパー１０５が取り付けられている。
【０００５】
更に、このオープンショーケース１００の本体１０１上部には図示しないナイトカバーが設けられている。そして、このナイトカバーの側部を保持するため、本体１０１に形成される前面開口部の両側部には、着脱自在にガイドレール１０６が取り付けられる。
【０００６】
このガイドレール１０６は上下に渡って取り付けられるものであり、このガイドレール１０６の側面には、長手方向に延在する溝１０７が形成されている。また、このガイドレール１０６の下端には、前記ハンドレール１０４の形状に沿って形成される保持部１０８が一体に形成されている。これにより、ナイトカバーを引き出す際には、ガイドレール１０６の保持部１０８を開口部の下縁に位置するハンドレール１０４に係合させ固定した後、ナイトカバーの両側部をガイドレール１０６の溝１０７に挿入しつつ、引き下げ、ナイトカバーの下端を図示しない係止部に係止させることにより固定していた。
【０００７】
また、オープンショーケース１００が上述の如く隣接して設置される場合には、図９に示す如く隣り合うショーケースの側板が取り払われたかたちで設置した後、当該ショーケース１００とショーケース１００との当接部分に相当するハンドレール１０４間に渡ってガイドレール１０６の保持部１０８を係合させ、ガイドレール１０６を固定する。
【０００８】
そして、ガイドレール１０６の両側部に形成された溝１０７にそれぞれのショーケース１００のナイトカバーを挿入し、引き出すことにより、隣り合うショーケース１００のナイトカバーの両側部を保持する構成とされていた。
【０００９】
【発明が解決しようとする課題】
しかしながら、従来のショーケース１００に取り付けられるガイドレール１０６は、本体１０１の前壁１０２上面に取り付けられるハンドレール１０４上に沿って係止されることから、ナイトカバーの使用によりガイドレール１０６に生じる結露水が該ガイドレール１０６を伝ってハンドレール１０４にまで滴下し、ハンドレール１０４を汚染し、衛生上好ましくないという問題があった。また更に、ハンドレール１０４に滴下した結露水が、前面パネル１０３を伝って、ショーケース１００の設置場所をも汚染し、開店時における作業が煩雑となる問題があった。
【００１０】
また、従来のオープンショーケース１００では、格別にガイドレール１０６を取り付ける箇所を設けていないため、正しくナイトカバーを挿入することができる位置に決定することは困難であった。
【００１１】
そこで、本発明は従来の技術的課題を解決するために成されたものであり、ナイトカバーの側部を保持するガイドレールを適切に取り付けることができるオープンショーケースを提供することを目的とする。
【００１２】
【課題を解決するための手段】
本発明のオープンショーケースは、本体の開口部を被うナイトカバーを備えたものであって、開口部の側部に設けられ、引き出されたナイトカバーの側部を保持するガイドレールと、本体と隣接する他のショーケースとを連結する連結部材とを備え、ガイドレールを連結部材に着脱可能に取り付けることを特徴とする。
【００１３】
本発明によれば、本体の開口部を被うナイトカバーを備えたオープンショーケースにおいて、開口部の側部に設けられ、引き出されたナイトカバーの側部を保持するガイドレールと、本体と隣接する他のショーケースとを連結する連結部材とを備え、ガイドレールを連結部材に着脱可能に取り付けたので、一部品にて、隣接する他のショーケースとの隙間を連結部材にて埋めつつ、当該連結部材にてナイトカバーの側部を保持するガイドレールを本体に取り付けることができるようになる。
【００１４】
また、ナイトカバーが引き出され本体の開口部が被われている際に、ナイトカバーの側部を保持するガイドレールが本体内を冷却する冷気により低温とされ、結露が生じるが、当該ガイドレールを保持する連結部材とは別部材にて構成されることにより、ガイドレールに生じた結露水が本体外面に伝ってショーケースの設置場所を汚染する不都合を未然に解消することができるようになる。
【００１５】
請求項２の発明のオープンショーケースは、上記発明に加えて、本体の前面下部には、バンパーを備え、ガイドレールをバンパー下面に格納可能とすることを特徴とする。
【００１６】
請求項２の発明によれば、上記発明に加えて、本体の前面下部には、バンパーを備え、ガイドレールをバンパー下面に格納可能とするので、ガイドレールを使用しない場合にバンパー下面に隠蔽することができ、外観の向上を図ることができるようになる。
【００１７】
また、ガイドレールを該ショーケースのバンパー下面に格納可能なため、別途、該ショーケースとは離れたところに保管することによる運搬作業を回避することができると共に、ガイドレール自体の紛失を解消することができるようになる。
【００１８】
請求項３の発明のオープンショーケースは、上記発明に加えて、バンパーにはガイドレールを吸着する磁石部材を備えることを特徴とする。
【００１９】
請求項３の発明によれば、上記発明に加えて、バンパーにはガイドレールを吸着する磁石部材を備えるので、容易にガイドレールをバンパーに保持することができるようになる。
【００２０】
【発明の実施の形態】
以下、図面に基づき本発明の実施形態を詳述する。図１は本発明の実施例としてのオープンショーケース１の縦断側面図、図２は複数のオープンショーケース１を隣接して設置した際のオープンショーケース１の一部斜視図、図３は連結部分の拡大斜視図、図４は連結部分の断面図、図５はオープンショーケース１の開口部２１上端の縦断側面図、図６はナイトカバー４６を引き出した状態のオープンショーケース１の開口部２１上端の縦断側面図である。
【００２１】
上記各図に示した実施例のオープンショーケース１は、例えばスーパーマーケットなどの店舗内に複数台据え付けられる冷凍タイプの多段オープンショーケースであり、断面略コ字状の断熱壁２と、据え付け現場においてこの断熱壁２の両側に取り付けられる側板３、３とから本体５が構成されている。側板３は所定の幅を有しており、その前面中央部には透視ガラス２９が嵌め込まれている。尚、本実施例では、図２に示す如くオープンショーケース１は店舗内において複数台隣接して据え付けられており、隣接するオープンショーケース１と隣り合う前記側板３、３は、取り払われた状態とされるものとする。
【００２２】
本実施例におけるオープンショーケース１は、断熱壁２の内側にそれぞれ間隔を存して外層仕切板４と内層仕切板６が取り付けられており、断熱壁２と外層仕切板４間が外層ダクト７、内外層仕切板６、４間が内層ダクト８とされ、内層仕切板６の内側が貯蔵室９とされている。
【００２３】
この貯蔵室９内には複数段の棚１１・・が架設されると共に、貯蔵室９の底部にはデックパン１２が取り付けられ、このデックパン１２の下方は前記両ダクト７、８に連通した底部ダクト１３とされている。そして、この底部ダクト１３内には図示しない内層送風機及び外層送風機を内蔵したファンケース１４が設置されると共に、内層ダクト８内には冷凍装置の冷媒回路に含まれる冷却器１６が縦設されている。
【００２４】
断熱壁２と両側板３、３にて囲繞された貯蔵室９（本体５）の前面開口部２１の上縁には外層吐出口２２と内層吐出口２３が前後に並設されており、外層吐出口２２は外層ダクト７に内層吐出口２３は内層ダクト８にそれぞれ連通している。また、開口部２１の下縁には図３に示す如く全幅に渡って吸込部材１９が取り付けられ、これにより吸込口２４が形成され、前記底部ダクト１３に連通している。
【００２５】
そして、前記ファンケース１４内の前記内層送風機及び外層送風機が運転されると、底部ダクト１３内の空気は後方の内層ダクト７及び外層ダクト８に向けて吹き出され、外層ダクト７においてはそのまま吹き上げられると共に、内層ダクト８においては冷却器１６と熱交換した後吹き上げられ、開口部２１上縁の内層吐出口２２及び外層吐出口２３から下縁の吸込口２４に向けてそれぞれ吹き出される。
【００２６】
また、断熱壁２の天壁２Ａ前端には外気ダクト部材２０が全幅に渡って取り付けられ、この外気ダクト部材２０の外気吐出口２５は前面開口部２１の上縁の外層吐出口２２の前側にて下方に開放している。そして、この外気ダクト部材２０内には図示しない外気用送風機が配設される。この外気用送風機が運転されると、天壁２Ａ上方の外気が吸い込まれて外気吐出口２５から外層吐出口２３前側の開口部２１に向けて吹き出される。
【００２７】
これによって、貯蔵室９の開口部２１には内側の冷気エアーカーテンとそれを保護する外側のエアーカーテンと、更にそれらを保護する最も外側の外気エアーカーテンより成る三層のエアーカーテンが形成され、開口部２１からの外気の侵入が阻止、若しくは、抑制されると共に、内側の冷気エアーカーテンの一部が貯蔵室９内に循環して貯蔵室９内は冷却される。そして、これらの冷気などは吸込口２４から底部ダクト１３に帰還し、前記各送風機に再び吸い込まれることになる。
【００２８】
一方、断熱壁２の天壁２Ａの外気ダクト部材２０上にはキャノピー（庇）２６が全幅に渡り、前方に突出して取り付けられており、このキャノピー２６の内側、内層吐出口２３の内側及び各棚１１の下面には照明装置としての庫外蛍光灯２７及び庫内蛍光灯３０・・がそれぞれ取り付けられている。
【００２９】
他方、断熱壁２の開口部２１下縁を縁取る前壁２Ｂの前面には、図１及び図２に示される如く前面パネル３４が取り付けられていると共に、この前壁２Ｂ及び前面パネル３４の上端にはハンドレール２８が全幅に渡って取り付けられている。また、断熱壁２の下部前端、即ち、前面パネル３４の下方には、全幅に渡ってバンパー３３が取り付けられている。
【００３０】
ここで、本実施例の如く複数台のオープンショーケース１が図２に示される如く隣接して設置される場合には、当該隣接する側の側板３、３は取り外され、各オープンショーケース１を構成する本体５、５が当接して設置され、それぞれの貯蔵室９、９が連通して形成されるかたちとなる。このとき、各オープンショーケース１の貯蔵室９側に位置する前記吸込部材１９の上面には、連結部材３５が着脱自在に取り付けられ、両オープンショーケース１を連結する。
【００３１】
この連結部材３５は、図３及び図４に示す如く前端が上方に垂直に起立した後、前記吸込部材１９の上面形状に沿うように後方に向けて低く傾斜した本体３５Ａが形成される。更に、この連結部材３５の後端は、同じく吸込部材１９の後面形状に沿うように下方に向けて傾斜して形成される係止部３５Ｂが形成されている。
【００３２】
また、この連結部材３５の本体３５Ａには、下方に開口するＵ字状に形成された係止部材３６が設けられている。この係止部材３６は、両下端が本実施例では例えば後方に折曲され安定して連結部材３５に取り付けられており、当該連結部材３５の係止部材３６は、詳細は後述するガイドレール３２の下端を固定可能とするものである。
【００３３】
更にまた、この連結部材３５は、本体３５Ａの両側部に吸込部材１９に形成された複数の吸込口２４と合致しネジ３７などにより固定可能とする図示しない取付孔が形成されており、着脱自在に吸込部材１９に取り付けられる。
【００３４】
これにより、複数のオープンショーケース１を隣接して設置する場合には、上述の如く隣接する側の側板３、３を取り外し、それぞれのオープンショーケース１の本体５、５を隣接し、隣接部分に位置するハンドレール２８の後面に各オープンショーケース１の吸込部材１９を跨るように連結部材３５を固定する。
【００３５】
そのため、複数のオープンショーケース１を隣接して設置した場合に生じる隣接部分からの冷気の漏出を連結部材３５により防止することができると共に、外観の向上を図ることができるようになる。
【００３６】
尚、連結されていないため、本体５の側方に側板３が取り付けられている場合には、側板３の内側に位置して連結部材３５が吸込部材１９に着脱自在に取り付けられているものとする。これにより、当該本体５が他のショーケース１の本体５と連結されるときに、仮に取り付けられた連結部材３５を外し、両ショーケース１の吸込部材１９を跨ぐように取り付けることにより、容易に両ショーケース１の連結に用いることができるようになり、利便性が向上するものである。
【００３７】
一方、前記庫外蛍光灯２７より後方のキャノピー２６下面には図５に示す如くナイトカバー４６が取り付けられた保持具４８が取り付けられている（図５では庫外蛍光灯２７は図示せず）。また、保持具４８とキャノピー２６の後端で垂下する後壁２６Ａ間には下方に開放した所定の挿入空間Ｇが構成され、後壁２６Ａには前側に突出したシール構造を構成する突条３１が開口部２１の略全幅に渡って折曲形成されている。
【００３８】
尚、ナイトカバー４６は保持具４８の下面後端から下方に引き出される。また、ナイトカバー４６は内部中空糸の織物から成る基材の一面若しくは両面に水蒸気を透過させ、且つ、低温（例えば−２０℃〜＋１６℃の温度）においても当該透過特性が維持されるフィルムをラミネートした素材にて構成されている。また、ナイトカバー４６は保持具４８に取り付けられた図示しないトーションバーの周囲に捲回されて常時巻き取られる方向に付勢されているが、引き出された際には、全閉と全開の途中の位置で停止するストッパー機能も備えられている。尚、このストッパー機能は下方に引く所定の操作で解除され、巻き取られるようになる。
【００３９】
また、ナイトカバー４６の横幅は、実施例では開口部２１の幅寸法と略同等か若干狭い寸法とされている。ナイトカバー４６の先端（下縁）には左右に張る硬質樹脂製の縁部材５６が取り付けられている。縁部材５６の中央部には図示しない把手が形成されている。
【００４０】
他方、３２は開口部２１の両側に位置して側板３、３の内面若しくは、複数台のオープンショーケース１を隣接して設置する場合には、図２に示す如く隣接しているそれぞれのオープンショーケース１に跨ったかたちで上下に渡って着脱可能に設けられるガイドレールである。
【００４１】
このガイドレール３２は上端に突設された挿入部３２Ａが形成されており、当該挿入部３２Ａを図６の如く保持具４８とキャノピー２６の後壁２６Ａ間の挿入空間Ｇ内に下から挿脱自在に挿入する。また、このガイドレール３２の下端には、図３及び図４に示す如くガイドレール３２の後面に位置して下方に開口する係合部３８が形成されている。
【００４２】
これにより、ガイドレール３２の下端は、前記連結部材３５に形成された係止部材３６を係合部３８に挿入することにより、側板３、３前端より内方であって、外気吐出口２５の前端と吸込口２４の前端を結ぶ線よりも前側に位置して容易にガイドレール３２を連結部材３５に脱着可能に固定することができる。このとき、予め取り付けられた連結部材３５の係止部材３６と係合部３８を係合することにより、ガイドレール３２の下端の取付位置を決定することができるため、取付作業性をより一層向上させることができるようになる。
【００４３】
また、当該連結部材３５は、一部品にて隣接する他のショーケース１との隙間を埋めつつ、ナイトカバー４６の側部を保持するガイドレール３２を本体５に取り付けることができるため、部品点数の削除による組立作業性の向上及びコストの削減を図ることができるようになる。
【００４４】
また、このガイドレール３２は金属にて成形され、両側面それぞれに長手方向に延在する溝３２Ｂを有した断面略コ字状を呈しており、コの字の溝３２Ｂの開口を開口部２１方向に向けて左右のガイドレール３２、３２は対向し、更に各ガイドレール３２、３２の溝３２Ｂの上端は開放している。
【００４５】
次に、ナイトカバー４６の操作について説明する。店舗の開店中はナイトカバー４６は図５の如く保持具４８に巻き取られている。更に、このとき前記ガイドレール３２は取り外しておくものとする。尚、取り付けたままでもよい。
【００４６】
そして、閉店する際には前述の如くガイドレール３２を開口部２１の両側に取り付ける。その後、ナイトカバー４６を保持具４８から引き出して降ろし、把手５７を前壁２Ｂ上端部の図示しないフックに引っかけて、前記三層のエアーカーテンの外側で開口部２１を覆う。
【００４７】
このとき、ナイトカバー４６の両側部はガイドレール３２の溝３２Ｂ内に上端から入り、上下に渡ってその内部に保持されるかたちとなる（図６）。また、突条３１は引き出されたナイトカバー４６の内面に図６に示す如く左右に渡って当接する。これによって、開口部２１の両側部と上縁部におけるナイトカバー４６と本体５間の隙間はなくなるので、冷気漏洩や外気の侵入は防止若しくは極めて少なくなる。
【００４８】
また、ナイトカバー４６が引き出され、本体５の開口部２１が被われている際に、ナイトカバー４６の側部を保持するガイドレール３２が本体５内を冷却する冷気により低温とされ、結露が生じるが、該ガイドレール３２を保持する連結部材３５とは別部材にて構成されているので、ガイドレール３２に生じた結露水が本体５外面、即ち前面パネル３４に伝ってショーケース１の設置場所を汚染する不都合を未然に解消することができるようになる。
【００４９】
次に、図７及び図８を参照してガイドレール３２の格納について説明する。図７はオープンショーケース１の部分切欠斜視図、図８は図７の一部拡大図である。前記本体５の前壁２Ｂに取り付けられる前記バンパー３３の下面には、図７に示す如く前部が少なくとも所定寸法、例えばガイドレール３２の幅寸法よりも少許広い寸法分だけ平坦に形成されたガイドレール格納部３３Ａが形成されており、当該ガイドレール格納部３３Ａは、全幅に渡って形成されている。
【００５０】
そして、このガイドレール格納部３３Ａには、所定間隔を存して本実施例では２つ（一つであってもよいが、二つ以上であってもよいものとする）の磁石部材３９が取り付けられている。本実施例では、該磁石部材３９は、所定角度で傾斜して取り付けられているものとする。
【００５１】
これにより、店舗の開店中などナイトカバー４６が保持具４８に巻き取られている際には、上述の如くガイドレール３２は取り外されるが、このとき、取り外されたガイドレール３２を長手方向が左右となるように持ち、前記バンパー３３の下面に形成されたガイドレール格納部３３Ａに格納する。
【００５２】
これにより、ガイドレール３２を使用しない場合にバンパー３３下面に該ガイドレール３２を隠蔽することができ、外観の向上を図ることができるようになる。
【００５３】
また、ガイドレール３２をショーケース１のバンパー３３下面に格納可能とするため、別途該ショーケース１とは離れたところに保管することによる運搬作業を回避することができると共に、ガイドレール３２自体の紛失を解消することができるようになる。
【００５４】
更に、ガイドレール３２は、上述の如く金属材料により構成されていることにより、ガイドレール格納部３３Ａに設けられた磁石部材３９により、容易にガイドレール３２を保持することができる。
【００５５】
【発明の効果】
以上詳述した如く本発明によれば、本体の開口部を被うナイトカバーを備えたオープンショーケースにおいて、開口部の側部に設けられ、引き出されたナイトカバーの側部を保持するガイドレールと、本体と隣接する他のショーケースとを連結する連結部材とを備え、ガイドレールを連結部材に着脱可能に取り付けたので、一部品にて、隣接する他のショーケースとの隙間を連結部材にて埋めつつ、当該連結部材にてナイトカバーの側部を保持するガイドレールを本体に取り付けることができるようになる。
【００５６】
また、ナイトカバーが引き出され本体の開口部が被われている際に、ナイトカバーの側部を保持するガイドレールが本体内を冷却する冷気により低温とされ、結露が生じるが、当該ガイドレールを保持する連結部材とは別部材にて構成されることにより、ガイドレールに生じた結露水が本体外面に伝ってショーケースの設置場所を汚染する不都合を未然に解消することができるようになる。
【００５７】
請求項２の発明によれば、上記発明に加えて、本体の前面下部には、バンパーを備え、ガイドレールをバンパー下面に格納可能とするので、ガイドレールを使用しない場合にバンパー下面に隠蔽することができ、外観の向上を図ることができるようになる。
【００５８】
また、ガイドレールを該ショーケースのバンパー下面に格納可能なため、別途、該ショーケースとは離れたところに保管することによる運搬作業を回避することができると共に、ガイドレール自体の紛失を解消することができるようになる。
【００５９】
請求項３の発明によれば、上記発明に加えて、バンパーにはガイドレールを吸着する磁石部材を備えるので、容易にガイドレールをバンパーに保持することができるようになる。
【図面の簡単な説明】
【図１】本発明の実施例としてのオープンショーケースの縦断側面図である。
【図２】複数のオープンショーケースを隣接して設置した際のオープンショーケースの一部斜視図である。
【図３】連結部分の拡大斜視図である。
【図４】連結部分の断面図である。
【図５】オープンショーケースの開口部上端の縦断側面図である。
【図６】ナイトカバーを引き出した状態のオープンショーケースの開口部上端の縦断側面図である。
【図７】オープンショーケースの部分切欠斜視図である。
【図８】図７の一部拡大図である。
【図９】従来のオープンショーケースの部分斜視図である。
【図１０】図９の一部拡大図である。
【符号の説明】
Ｇ　挿入空間
１　オープンショーケース
２　断熱壁
２Ｂ　前壁
３　側板
５　本体
９　貯蔵室
１９　吸込部材
２１　開口部
２２　外層吐出口
２３　内層吐出口
２４　吸込口
２８　ハンドレール
３２　ガイドレール
３２Ａ　挿入部
３２Ｂ　溝
３３　バンパー
３３Ａ　ガイドレール格納部
３４　前面パネル
３５　連結部材
３５Ａ　本体
３５Ｂ　係止部
３６　係止部材
３７　ネジ
３８　係合部
３９　磁石部材
４６　ナイトカバー
４８　保持具
【図１】
2004084961.tif 000003
【図２】
2004084961.tif 000004
【図３】
2004084961.tif 000005
【図４】
2004084961.tif 000006
【図５】
2004084961.tif 000007
【図６】
2004084961.tif 000008
【図７】
2004084961.tif 000009
【図８】
2004084961.tif 000010
【図９】
2004084961.tif 000011
【図１０】
2004084961.tif 000012